【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
カチオン性バイオポリマー、アニオン性バイオポリマー、酸、及び防腐剤を含むバイオベースの高分子電解質錯体（ＰＥＣ）組成物である結合剤で、繊維基材、織物、織布、及び不織布材料を処理する方法であって、
−前記ＰＥＣの正味電荷はカチオン性であり、
−前記アニオン性バイオポリマー及び前記カチオン性バイオポリマーの電荷比は≦１であり、
−前記カチオン性バイオポリマーはキトサンであり、カチオンの濃度は０．００５〜３０％であり、前記キトサンは６６％〜１００％の脱アセチル化度を有し、
−前記アニオン性バイオポリマーは天然由来のポリアニオンであり、
−前記酸はブレンステッド酸及び／又はルイス酸であり、前記ブレンステッド酸は任意の有機及び／又は無機酸から選択され、前記ルイス酸は任意のカチオン性の一価又は多価原子から選択され、前記酸の濃度は０．０１〜３０％であり、
−カチオン性バイオポリマーと性バイオポリマーとの間の重量比は１：０．１〜１：２０であり、
−ｐＨは７未満である、方法。
【請求項２】
ａ）蒸留水、水道水、及び脱イオン水から選択された水によりＰＥＣ組成物を希釈する工程と、
ｂ）前記ＰＥＣ組成物で前記繊維基材、織物、織布、及び不織布材料を処理する工程であって、
繊維、織物、織布、及び不織布懸濁液への添加、
スプレーコーティング、
ディップコーティング、
ロールコーティング、
含浸、
パディング、
スクリーンコーティング、
印刷、
ナイフコーティング、ブレードコーティング、巻き線棒コーティング、丸棒コーティング、及びクラッシュ発泡コーティングを含む直接コーティング法、
マイヤーロッドコーティング、直接ロールコーティング、キスコーティング、グラビアコーティング、及びリバースロールコーティングを含む間接コーティング法、
インクジェット及び／又はスリットダイ／スロットダイ、
による工程と、
ｃ）任意選択的に、前記処理された繊維基材、織物、織布、及び不織布材料を硬化させる工程と、
を含む、処理方法。
【請求項３】
前記硬化は２０℃〜２００℃で行われる、請求項２に記載の処理方法。
【請求項４】
前記処理された繊維基材、織物、織布、及び不織布材料を硬化させる工程を含む、請求項２に記載の処理方法。
【請求項５】
前記硬化は１２０℃〜１８０℃で行われる、請求項４に記載の処理方法。
【請求項６】
前記ＰＥＣ組成物は、水道水、蒸留水、及び／又は脱イオン水から選択される水；並びに少なくとも０．０５重量％の水溶性可塑剤、好ましくは生分解性天然ベースの可塑剤を更に含み、より好ましくは、前記可塑剤は、ソルビトール、マンニトール、キシリトール、スクロース、グルコース、マンノース、フルクトース、スクラロース、スクロースエステル、グリセロール、グリセロールトリアセテート、グリセリン、エチレングリコール、トリエチレングリコール、テトラエチレングリコール、ポリエチレングリコール、ポリプロピレングリコール、アセトアミド、ホルムアミド、ドデカノール、クエン酸塩、エタノールアミン、ジエタノールアミン、トリエタノールアミン、及び尿素を含む、ポリオール、アミノ酸、及び界面活性剤のうちの１つ以上から選択される、請求項１〜８５のいずれか１項に記載の処理方法。
【請求項７】
前記水溶性可塑剤は、生分解性天然ベースの可塑剤を更に含む、請求項６に記載の処理方法。
【請求項８】
前記可塑剤は、ソルビトール、マンニトール、キシリトール、スクロース、グルコース、マンノース、フルクトース、スクラロース、スクロースエステル、グリセロール、グリセロールトリアセテート、グリセリン、エチレングリコール、トリエチレングリコール、テトラエチレングリコール、ポリエチレングリコール、ポリプロピレングリコール、アセトアミド、ホルムアミド、ドデカノール、クエン酸塩、エタノールアミン、ジエタノールアミン、トリエタノールアミン、及び尿素を含む、ポリオール、アミノ酸、及び界面活性剤のうちの１つ以上から選択される、請求項６に記載の処理方法。
【請求項９】
より高い乾燥強度、湿潤強度、引張剛性、及び／又は引張柔軟性を繊維基材、織物、織布、及び不織布材料に提供するための結合剤として適したバイオベースの高分子電解質錯体（ＰＥＣ）組成物であって、前記ＰＥＣ組成物は、カチオン性バイオポリマー、アニオン性バイオポリマー、酸、可塑剤、防腐剤、並びに水道水、蒸留水、及び／又は脱イオン水から選択される水を含み、
−前記ＰＥＣの正味電荷はカチオン性であり、
−前記アニオン性バイオポリマー及び前記カチオン性バイオポリマーの電荷比は≦１であり、
−前記カチオン性バイオポリマーはキトサンであり、カチオンの濃度は０．００５〜３０％であり、前記キトサンは６６％〜１００％の脱アセチル化度を有し、
−前記アニオン性バイオポリマーは天然由来のポリアニオンであり、
−前記酸はブレンステッド酸及び／又はルイス酸であり、前記ブレンステッド酸は任意の有機及び／又は無機酸から選択され、前記ルイス酸は任意のカチオン性の一価又は多価原子から選択され、前記酸の濃度は０．０１〜３０％であり、
−カチオン性バイオポリマーと性バイオポリマーとの間の重量比は１：０．１〜１：２０であり、
−ｐＨは７未満であり、
前記可塑剤は水溶性であり、且つ少なくとも０．０５重量％の量で存在する、ＰＥＣ組成物。
【請求項１０】
前記可塑剤は生分解性天然ベースの可塑剤である、請求項９に記載のＰＥＣ組成物。
【請求項１１】
前記可塑剤は、ソルビトール、マンニトール、キシリトール、スクロース、グルコース、マンノース、フルクトース、スクラロース、スクロースエステル、グリセロール、グリセロールトリアセテート、グリセリン、エチレングリコール、トリエチレングリコール、テトラエチレングリコール、ポリエチレングリコール、プロピレングリコール、アセトアミド、ホルムアミド、ドデカノール、クエン酸塩、エタノールアミン、ジエタノールアミン、トリエタノールアミン、及び尿素を含む、ポリオール、アミノ酸、及び界面活性剤のうちの１つ以上から選択される、請求項９に記載のＰＥＣ組成物。
【請求項１２】
前記アニオン性ポリマーは、リグニンアルカリ、リグノスルホン酸、又は多糖類から選択され、前記アニオンの濃度は０．００５〜３０％であり、アルギン酸およびリグノスルホン酸は、それらのナトリウム塩として存在する、請求項９〜１１のいずれか１項に記載のＰＥＣ組成物。
【請求項１３】
前記アニオン性ポリマーは、カルボキシメチルセルロース（ＣＭＣ）、アルギン酸、ペクチン、カラギーナン、アラビアガム、及びナノ結晶セルロース（ＮＣＣ）から選択される、請求項１２に記載のＰＥＣ組成物。
【請求項１４】
前記酸の濃度は０．０１〜３０％であり、前記酸は、酢酸、アセチルサリチル酸、アジピン酸、ベンゼンスルホン酸、カンファースルホン酸、クエン酸、ジヒドロキシフマル酸、ギ酸、グリコール酸、グリオキシル酸、塩酸、乳酸、リンゴ酸、マロン酸、マレイン酸、マンデル酸、シュウ酸、パラ−トルエンスルホン酸、フタル酸、ピルビン酸、サリチル酸、硫酸、酒石酸、及びコハク酸のうちの１以上から選択される、請求項９〜１３のいずれか１項に記載のＰＥＣ組成物。
【請求項１５】
前記ＰＥＣ組成物のｐＨは６．５未満である、請求項９〜１４のいずれか１項に記載のＰＥＣ組成物。
【請求項１６】
前記ＰＥＣ組成物のｐＨはｐＨ１．８〜４である、請求項１５に記載のＰＥＣ組成物。
【請求項１７】
キトサン、ＣＭＣ、クエン酸、ソルビトール、及び水を含む、請求項９〜１６のいずれか１項に記載のＰＥＣ組成物。
【請求項１８】
０．７５〜６重量％のキトサン、０．７５〜６重量％のＣＭＣ、及び６〜３０重量％のクエン酸一水和物を含む、請求項９〜１７のいずれか１項に記載のＰＥＣ組成物。
【請求項１９】
前記ＰＥＣ組成物のｐＨは１．８〜２．５であり、ＣＭＣ：キトサン：クエン酸一水和物の比は１：１：１〜１：１：１２である、請求項９〜１８のいずれか１項に記載のＰＥＣ組成物。
【請求項２０】
少なくとも４重量％のＰＥＣを含む、請求項９〜１９のいずれか１項に記載のＰＥＣ組成物。
【請求項２１】
前記組成物は、水溶性可塑剤、消泡剤、発泡剤、湿潤剤、合着剤、触媒、界面活性剤、乳化剤、保存剤、架橋剤、レオロジー調整剤、充填剤、ノニオン性ポリマー、染料、顔料から選択された、１以上の添加剤を含み、前記添加剤は、適用方法及び最終材料の予想される特性に応じて選択され、前記添加剤の濃度は重量で０〜９９％である、請求項９〜２０のいずれか１項に記載のＰＥＣ組成物。
【請求項２２】
前記添加剤の濃度は重量で０〜５０％である、請求項２１に記載のＰＥＣ組成物。
【請求項２３】
前記添加剤の濃度は重量で０〜３０％である、請求項２１に記載のＰＥＣ組成物。
【請求項２４】
前記ＰＥＣ組成物は、０．００５〜１０重量％の防腐剤を含み、前記防腐剤は、防かび剤、殺菌剤、医薬品防腐剤、化粧品防腐剤、及び／又は食品防腐剤から選択され、前記食品防腐剤は、安息香酸、安息香酸ナトリウム、ヒドロキシ安息香酸及びこれらの誘導体、乳酸、プロピオン酸及びプロピオン酸ナトリウム、二酸化硫黄及び亜硫酸塩、ソルビン酸及びソルビン酸ナトリウム、アスコルビン酸、アスコルビン酸ナトリウム、ブチルヒドロキシトルエン、ブチルヒドロキシアニソール、没食子酸及び没食子酸ナトリウム、並びにトコフェロールから選択され、前記防かび剤又は殺菌剤は１，２−ベンゾイソチアゾール−３−オンから選択され、前記化粧品防腐剤は２−メチル−４−イソチアゾール−３−オンから選択され、前記医薬品防腐剤は２−ブロモ−２−ニトロ−１，３−プロパンジオール、１，２−ベンゾイソチアゾール−３−オン、及び２−メチル−４−イソチアゾール−３−オンから選択される、請求項９〜２３のいずれか１項に記載のＰＥＣ組成物。